(57)【要約】      （修正有）【課題】本発明は、好みの顔を有する他の参加者およびその参加者の情報を取得可能な照合装置を提供する。【解決手段】本発明の照合装置１は、顔情報を取得する顔情報取得手段、登録された照合用顔情報を取得する照合用顔情報取得手段、前記照合用顔情報に関連付けられた関連情報を取得する関連情報取得手段、前記顔情報と前記照合用顔情報とを照合する顔情報照合手段および前記顔情報と類似する照合用顔情報と前記関連情報とを出力する出力手段を含む。顔情報照合手段により、前記顔情報と前記照合用顔情報とが類似すると判定された場合、出力手段は、類似する照合用顔情報および関連情報を出力する。【選択図】図１
2017224041.tif 000002
【特許請求の範囲】
【請求項１】
顔情報を取得する顔情報取得手段、
登録された照合用顔情報を取得する照合用顔情報取得手段、
前記照合用顔情報に関連付けられた関連情報を取得する関連情報取得手段、
前記顔情報と前記照合用顔情報とを照合する顔情報照合手段、および
前記顔情報と類似する照合用顔情報と前記関連情報とを出力する出力手段を含み、
前記顔情報照合手段により、前記顔情報と前記照合用顔情報とが類似すると判定された場合、
前記出力手段は、類似する照合用顔情報および前記関連情報を出力することを特徴とする、照合装置。
【請求項２】
前記顔情報照合手段は、前記顔情報と前記照合用顔情報との類似度を算出することにより、前記顔情報と前記照合用顔情報とを照合し、
前記顔照合手段により、前記顔情報と前記照合用顔情報とが類似すると判定された場合、
前記出力手段は、前記類似度を出力する、請求項１記載の照合装置。
【請求項３】
前記顔情報照合手段は、前記顔情報と前記照合用顔情報との類似度および類似度の基準値に基づき、前記顔情報と前記照合用顔情報とを照合する、請求項２記載の照合装置。
【請求項４】
前記関連情報が、前記照合用顔情報に関連する商品情報、人物情報、および位置情報からなる群から選択された少なくとも１つである、請求項１から３のいずれか一項に記載の照合装置。
【請求項５】
顔情報を取得する顔情報取得手段、
照合用顔情報を取得する照合用顔情報取得手段、
前記顔情報と前記照合用顔情報との類似度を算出する類似度算出手段、および
前記類似度を出力する出力手段を含むことを特徴とする、顔の類似度出力装置。
【請求項６】
前記照合用顔情報は、指定された照合用顔情報である、請求項５記載の類似度出力装置。
【請求項７】
顔情報を取得する顔情報取得手段、
登録された画像を取得する画像取得手段、
前記画像に存在する顔と前記顔情報とを照合する顔照合手段、および
前記顔情報を含む画像を出力する出力手段を含み、
前記顔照合手段により、前記画像に存在する顔と前記顔情報とが一致すると判定された場合、
前記出力手段は、前記顔情報を含む画像を出力することを特徴とする、顔による画像分類装置。
【請求項８】
さらに、前記画像から顔を検出する顔検出手段を含む、請求項７記載の画像分類装置。
【発明の詳細な説明】
【技術分野】
【０００１】
本発明は、照合装置、顔の類似度出力装置、および顔による画像分類装置に関する。
【背景技術】
【０００２】
近年、男女の出会いの場として、全国各地で街ぐるみでの大型の合コンイベント、いわゆる街コンが提供されている。しかしながら、街コンにおけるカップルの成立割合は、３％と極めて低い。
【発明の概要】
【発明が解決しようとする課題】
【０００３】
街コンには多数の男女が参加するため、男女がランダムに顔をあわせることとなる。このため、ある参加者が、例えば、好みの顔を有する他の参加者と顔をあわせる可能性が低いという問題があった。
【０００４】
そこで、本発明は、例えば、好みの顔を有する他の参加者およびその参加者の情報を取得可能な照合装置の提供を目的とする。
【課題を解決するための手段】
【０００５】
本発明の照合装置は、顔情報を取得する顔情報取得手段、
登録された照合用顔情報を取得する照合用顔情報取得手段、
前記照合用顔情報に関連付けられた関連情報を取得する関連情報取得手段、
前記顔情報と前記照合用顔情報とを照合する顔情報照合手段、および
前記顔情報と類似する照合用顔情報と前記関連情報とを出力する出力手段を含み、
前記顔情報照合手段により、前記顔情報と前記照合用顔情報とが類似すると判定された場合、
前記出力手段は、類似する照合用顔情報および前記関連情報を出力することを特徴とする。
【０００６】
本発明の顔の類似度出力装置は、顔情報を取得する顔情報取得手段、
照合用顔情報を取得する照合用顔情報取得手段、
前記顔情報と前記照合用顔情報との類似度を算出する類似度算出手段、および
前記類似度を出力する出力手段を含むことを特徴とする。
【０００７】
本発明の顔による画像分類装置は、顔情報を取得する顔情報取得手段、
登録された画像を取得する画像取得手段、
前記画像に存在する顔と前記顔情報とを照合する顔照合手段、および
前記顔情報を含む画像を出力する出力手段を含み、
前記顔照合手段により、前記画像に存在する顔と前記顔情報とが一致すると判定された場合、
前記出力手段は、前記顔情報を含む画像を出力することを特徴とする。
【発明の効果】
【０００８】
本発明の照合装置によれば、例えば、好みの顔を有する他の参加者の情報を取得できる。
【図面の簡単な説明】
【０００９】
【図１】図１は、本発明の照合装置の一例を示すブロック図である。
【図２】図２は、本発明の顔の類似度出力装置の一例を示すブロック図である。
【図３】図３は、本発明の顔による画像分類装置の一例を示すブロック図である。
【発明を実施するための形態】
【００１０】
＜照合装置＞
本発明の照合装置（以下、「照合装置」ともいう）は、前述のように、顔情報を取得する顔情報取得手段、登録された照合用顔情報を取得する照合用顔情報取得手段、前記照合用顔情報に関連付けられた関連情報を取得する関連情報取得手段、前記顔情報と前記照合用顔情報とを照合する顔情報照合手段、および前記顔情報と類似する照合用顔情報と前記関連情報を出力する出力手段を含み、前記顔情報照合手段により、前記顔情報と前記照合用顔情報とが類似すると判定された場合、前記出力手段は、類似する照合用顔情報および前記関連情報を出力することを特徴とする。本発明の照合装置は、前記顔情報照合手段により、前記顔情報と前記照合用顔情報とが類似すると判定された場合、前記出力手段は、類似する照合用顔情報および前記関連情報を出力することが特徴であり、その他の構成および条件は、特に制限されない。
【００１１】
本発明の照合装置は、前述のように、前記顔情報照合手段により、前記顔情報と前記照合用顔情報とが類似すると判定された場合、前記出力手段は、類似する照合用顔情報および前記関連情報を出力すること特徴とする。本発明の照合装置は、例えば、前記照合用顔情報および前記関連情報を、それぞれ、任意の顔情報および関連情報とすることができる。このため、本発明の照合装置によれば、例えば、前記照合用顔情報および前記関連情報を使用場面にあわせた情報とすることにより、取得された顔情報に基づき、適切な照合用顔情報および関連情報を提示できる。具体例として、本発明の照合装置を街コンで用いる場合、例えば、街コン参加者（例えば、今回の街コン参加者）の顔情報を前記照合用顔情報として、前記街コン参加者の氏名、年齢等の人物情報を前記照合用顔情報に関連づけられた関連情報として登録しておくことで、前記街コン参加者が好みの顔を含む顔画像等を前記顔画像として用いることにより、好みの街コン参加者の顔を含む照合用顔情報および前記街コン参加者の人物情報等の関連情報を取得できる。このため、本発明の照合装置によれば、例えば、街コンにおけるカップルの成立割合を向上させることができる。
【００１２】
図１は、本発明の照合装置の構成の一例を示す模式図である。図示のように、本発明の照合装置において、照合装置１は、顔情報取得手段１１、照合用顔情報取得手段１２、関連情報取得手段１３、顔情報照合手段１４、および出力手段１５を備える。図１に示すように、照合装置１において、例えば、顔情報取得手段１１は、顔情報照合手段１４と、照合用顔情報取得手段１２は、関連情報取得手段１３、顔情報照合手段１４、および出力手段１５と、関連情報取得手段１３は、出力手段１５と、顔情報照合手段１４は、出力手段１５と、それぞれ電気的に接続されている。
【００１３】
顔情報取得手段１１は、顔情報を取得する。顔情報取得手段１１は、例えば、ユーザにより入力された顔情報を取得する。顔情報取得手段１１は、特に制限されず、例えば、中央処理装置（ＣＰＵ）等があげられる。前記顔情報は、顔に関する情報であり、例えば、１以上の顔画像、前記１以上の顔画像における、鼻、口等の特徴点の距離の比等の情報、前記特徴点を結んだ線の向き等の特徴量の情報等があげられる。前記顔画像は、例えば、顔の一部の画像でもよいし、顔全体の画像でもよいが、好ましくは、後者である。また、前記顔画像は、例えば、顔以外の領域を含んでもよく、頭部の画像、上半身の画像、全身の画像等でもよい。顔情報取得手段１１により取得される顔情報の数は、例えば、１つでもよいし、２つ以上でもよい。前記顔情報は、例えば、人の顔に関する情報でもよいし、動物の顔に関する情報でもよいし、これらの顔の似顔絵に関する情報でもよい。前記人は、特に制限されず、例えば、芸能人、モデル、街コン等のイベント参加者、照合装置１を使用するユーザ等があげられる。
【００１４】
照合用顔情報取得手段１２は、登録された照合用顔情報を取得する。照合用顔情報取得手段１２は、特に制限されず、例えば、ＣＰＵ等があげられる。照合用顔情報取得手段１２は、例えば、前記照合用顔情報を記憶する記憶手段であってもよい。前記記憶手段が外部記憶装置のような外付け型の場合、本発明の照合装置は、例えば、顔情報照合システムということもできる。前記記憶手段は、例えば、データベース、サーバ、ランダムアクセスメモリ（ＲＡＭ）、読み出し専用メモリ（ＲＯＭ）、ハードディスク（ＨＤ）、光ディスク、フロッピー（登録商標）ディスク（ＦＤ）等があげられる。前記データ記憶手段は、装置内蔵型であってもよいし、外部記憶装置のような外付け型であってもよい。前記照合用顔情報は、例えば、前記顔情報との照合に用いる登録された顔情報であり、例えば、前記顔情報の説明を援用できる。前記照合用顔情報の種類は、例えば、前記顔情報の種類と同じでもよいし、異なってもよい。照合用顔情報取得手段１２により取得される照合用顔情報の数は、例えば、１つでもよいし、２つ以上でもよい。照合用顔情報取得手段１２は、例えば、照合装置１を使用するユーザにより指定された照合用顔情報を取得してもよい。
【００１５】
関連情報取得手段１３は、前記照合用顔情報に関連付けられた関連情報を取得する。関連情報取得手段１３は、前記照合用顔情報に基づき、前記照合用顔情報に関連付けられた関連情報を取得する。関連情報取得手段１３は、特に制限されず、例えば、ＣＰＵ等があげられる。関連情報取得手段１３は、例えば、前記関連情報を記憶する記憶手段であってもよい。この場合、本発明の照合装置は、例えば、顔情報照合システムということもできる。照合用顔情報取得手段１２および関連情報取得手段１３が記憶手段の場合、前記照合用顔情報および関連情報を記憶する記憶手段は、同じ記憶手段でもよいし、異なる記憶手段でもよい。前記関連情報は、特に制限されず、例えば、照合装置１の使用場面に応じて適宜決定できる。具体例として、前記街コンで利用する場合、前記関連情報は、例えば、前記照合用顔情報が含む人の氏名、年齢、身長、体重、住所、年収等の人物情報、街コンの会場における位置等の位置情報等があげられる。また、化粧品売り場で利用する場合、前記照合用顔情報が含むモデル等の人が使用している化粧品等の商品情報等があげられる。関連情報取得手段１３により取得される関連情報の数は、例えば、１つでもよいし、２つ以上でもよい。
【００１６】
顔情報照合手段１４は、前記顔情報と前記照合用顔情報とを照合する。顔情報照合手段１４は、例えば、前記顔情報と前記照合用顔情報とが一致するかを照合してもよいし、前記顔情報と前記照合用顔情報とが類似するかを照合してもよい。前記類似および一致は、例えば、前記顔情報と前記照合用顔情報とに対して公知の類似度計算により得られる類似度に基づき判断することができる。顔情報照合手段１４は、特に制限されず、例えば、ＣＰＵ等があげられる。顔情報照合手段１４による照合方法は、特に制限されず、例えば、前記顔情報と前記照合用顔情報との類似度計算による方法、目、鼻、口等の特徴点の距離の比や、前記特徴点を結んだ線の向き等の特徴量を用いる方法等、従来公知の顔認証方法を使用できる。
【００１７】
出力手段１５は、顔情報照合手段１４により、前記顔情報と前記照合用顔情報とが類似すると判定された場合、類似する照合用顔情報および前記関連情報を出力する。出力手段１５は、例えば、照合装置１を使用するユーザが使用する表示手段に、類似する照合用顔情報および前記関連情報を出力する。出力手段１５は、特に制限されず、例えば、ＣＰＵ等があげられる。出力手段１５により出力される照合用顔情報の数は、例えば、１つでもよいし、２つ以上でもよい。後者の場合、出力手段１５により出力される照合用顔情報の数は、例えば、２〜２０つである。また、出力手段１５により出力される関連情報の数は、例えば、１つでもよいし、２つ以上でもよい。
【００１８】
本発明の照合装置を街コンに用いる場合、本発明の照合装置は、例えば、街コン参加者（例えば、ユーザ）の顔情報を取得し、前記街コン参加者の顔情報に基づき推薦する他の参加者の顔情報を出力してもよい。前記他の参加者の顔情報は、例えば、前記街コン参加者と似た顔を有する他の参加者の顔情報、過去の街コンの参加者間で成立したカップル情報に基づき推奨する他の参加者の顔情報等があげられる。前者の場合、前記他の参加者の顔情報は、例えば、前記街コン参加者の顔情報を、今回の街コンに参加する他の参加者の顔情報と照合し、前記他の参加者の顔情報において、類似する顔情報として判定された顔情報である。後者の場合、前記他の参加者の顔情報は、例えば、以下のようにして取得された顔情報である。まず、前記街コン参加者の顔情報を、過去の街コンの参加者の顔情報と照合する。つぎに、前記街コン参加者の顔情報と類似すると判定された前記過去の街コンの参加者の顔情報が存在する場合、前記過去の街コンの参加者とカップルとなり、前記過去の街コンに参加した他方の参加者の顔情報を取得する。さらに、前記過去の街コンに参加した他方の参加者の顔情報を、今回の街コンに参加する他の参加者の顔情報と照合し、前記他の参加者の顔情報において、類似する顔情報として判定された顔情報を取得する。本発明の照合装置が前記街コン参加者の顔情報に基づき推薦する他の参加者の顔情報を出力する場合、出力される他の参加者の顔情報の数は、特に制限されず、例えば、１つでもよいし、２つ以上でもよく、具体例として、２〜２０つである。
【００１９】
本発明の照合装置において、例えば、顔情報照合手段１４は、前記顔情報と前記照合用顔情報との類似度を算出することにより、前記顔情報と前記照合用顔情報とを照合し、顔照合手段１４により、前記顔情報と前記照合用顔情報とが類似すると判定された場合、出力手段１５は、前記類似度を出力してもよい。前記類似度を出力することにより、例えば、照合装置１を使用するユーザが入力した顔情報と、指定した照合用顔情報との類似度を知ることができ、エンターテイメント性を向上できる。また、顔情報照合手段１４が類似度を算出する場合、顔情報取得手段１４は、前記顔情報と前記照合用顔情報との類似度および類似度の基準値に基づき、前記顔情報と前記照合用顔情報とを照合することが好ましい。この場合、出力手段１５は、例えば、前記類似度の基準値以上または前記類似度の基準値を超える類似する照合用顔画像を出力する。前記類似度の基準値は、例えば、予め設定されてもよいし、照合装置１を使用するユーザにより指定されてもよい。また、前記類似度の基準値は、例えば、出力手段１５が出力する前記照合用顔情報の数に応じて設定してもよい。
【００２０】
本発明の照合装置は、例えば、前記顔情報を街コン参加者の好みの芸能人の顔情報、モデルの顔情報、その似顔絵等とし、前記照合用顔情報を前記街コン参加者の顔とし、前記関連情報を前記街コン参加者の人物情報および位置情報の少なくとも一方とすることにより、適切な街コン参加者の顔情報、人物情報、位置情報等を提示することができ、街コンにおけるカップルの成立割合を向上させることができる。また、本発明の照合装置は、例えば、前記顔情報を、買い物客の好みの芸能人の顔情報、モデルの顔情報等とし、前記照合用顔情報を芸能人の顔情報、モデルの顔情報等とし、前記関連情報を前記照合用顔情報が含むモデル等の人が使用している化粧品等の商品情報等とすることにより、前記買い物客に適切な商品情報を提示することができ、前記買い物客の購買率を向上できる。
【００２１】
＜顔の類似度出力装置＞
本発明の顔の類似度出力装置（以下、「出力装置」ともいう）は、前述のように、顔情報を取得する顔情報取得手段、照合用顔情報を取得する照合用顔情報取得手段、前記顔情報と前記照合用顔情報との類似度を算出する類似度算出手段、および前記類似度を出力する出力手段を含むことを特徴とする。本発明の出力装置は、前記類似度算出手段および前記出力手段を含むことが特徴であり、その他の構成および条件は、特に制限されない。本発明の出力装置は、例えば、前記本発明の照合装置の説明を援用できる。
【００２２】
本発明の出力装置は、前述のように、前記類似度算出手段および前記出力手段を含むことを特徴とする。このため、本発明の出力装置によれば、例えば、ユーザが入力した顔情報と、照合用顔情報との類似度を知ることができ、エンターテイメント性を向上できる。
【００２３】
図２は、本発明の出力装置の構成の一例を示す模式図である。図示のように、本発明の出力装置において、出力装置２は、顔情報取得手段２１、照合用顔情報取得手段２２、類似度算出手段２３、および出力手段２４を備える。図２に示すように、出力装置２において、例えば、顔情報取得手段２１は、類似度算出手段２３と、照合用顔情報取得手段２２は、類似度算出手段２３および出力手段２４と、類似度算出手段２３は、出力手段２４と、それぞれ電気的に接続されている。
【００２４】
顔情報取得手段２１および照合用顔情報取得手段２２は、前述の説明を援用できる。顔情報取得手段２１および照合用顔情報取得手段２２の少なくとも一方が、前述の外部記憶装置のような外付け型の記憶手段の場合、本発明の出力装置は、例えば、顔の類似度の出力システムということもできる。照合用顔情報取得手段２２により取得される照合用顔情報は、例えば、出力装置２のユーザにより指定された照合用顔情報であることが好ましい。
【００２５】
類似度算出手段２３は、前記顔情報と前記照合用顔情報との類似度を算出する。類似度算出手段２３は、特に制限されず、例えば、ＣＰＵ等があげられる。類似度算出手段２３による類似度の算出方法は、特に制限されず、例えば、前記顔情報と前記照合用顔情報との類似度計算による方法等、従来公知の類似度の算出方法を使用できる。
【００２６】
出力手段２４は、前記類似度を出力する。出力手段２４は、例えば、出力装置２を使用するユーザが使用する表示手段に、類似度を出力する。出力手段２４は、特に制限されず、例えば、ＣＰＵ等があげられる。出力手段２４は、例えば、１種類の顔情報と照合用顔情報との類似度を出力してもよいし、２種類以上の顔情報と照合用顔情報との類似度を出力してもよい。出力手段２４の出力する類似度の数は、例えば、前記顔情報の数と同じでもよいし、異なってもよい。
【００２７】
＜顔による画像分類装置＞
本発明の顔による画像分類装置（以下、「分類装置」ともいう）は、前述のように、顔情報を取得する顔情報取得手段、登録された画像を取得する画像取得手段、前記画像に存在する顔と前記顔情報とを照合する顔照合手段、および前記顔情報を含む画像を出力する出力手段を含み、前記顔照合手段により、前記画像に存在する顔と前記顔情報とが一致すると判定された場合、前記出力手段は、前記顔情報を含む画像を出力することを特徴とする。本発明の分類装置は、前記顔照合手段および前記出力手段を含み、前記顔照合手段により、前記画像に存在する顔と前記顔情報とが一致すると判定された場合、前記出力手段は、前記顔情報を含む画像を出力することが特徴であり、その他の構成および条件は、特に制限されない。本発明の分類装置は、例えば、前記本発明の照合装置および出力装置の説明を援用できる。
【００２８】
本発明の分類装置は、前述のように、前記顔照合手段および前記出力手段を含み、前記顔照合手段により、前記画像に存在する顔と前記顔情報とが一致すると判定された場合、前記出力手段は、前記顔情報を含む画像を出力する。このため、例えば、顔情報に基づき、簡便に前記顔情報を含む画像を抽出（分類）することができる。
【００２９】
図３は、本発明の分類装置の構成の一例を示す模式図である。図示のように、本発明の分類装置において、分類装置３は、顔情報取得手段３１、画像取得手段３２、顔照合手段３３、および出力手段３４を備える。図３に示すように、分類装置３において、例えば、顔情報取得手段３１は、顔照合手段３３と、画像取得手段３２は、顔照合手段３３および出力手段３４と、顔照合手段３３は、出力手段３４と、それぞれ電気的に接続されている。
【００３０】
顔情報取得手段３１は、前述の説明を援用できる。顔情報取得手段３１が、前述の外部記憶装置のような外付け型の記憶手段の場合、本発明の分類装置は、例えば、顔による画像分類システムということもできる。
【００３１】
画像取得手段３２は、登録された画像を取得する。画像取得手段３２は、特に制限されず、例えば、ＣＰＵ等があげられる。画像取得手段３２は、例えば、前記画像を記憶する記憶手段であってもよい。前記記憶手段が外部記憶装置のような外付け型の記憶手段の場合、本発明の照合装置は、例えば、顔による画像分類システムということもできる。前記記憶手段は、例えば、前述の説明を援用できる。前記画像は、例えば、前記顔情報との照合に用いる登録された画像であり、例えば、写真データ等があげられる。前記写真データは、例えば、顔を含んでもよいし、含まなくてもよい。画像取得手段３２により取得される画像の数は、例えば、１つでもよいし、２つ以上でもよい。画像取得手段３２は、例えば、分類装置３を使用するユーザにより指定された画像を取得してもよい。
【００３２】
顔照合手段３３は、前記画像に存在する顔と前記顔情報とを照合する。顔照合手段３３は、例えば、前記顔情報と前記画像に存在する顔とが一致するかを照合してもよいし、前記顔情報と前記画像に存在する顔とが類似するかを照合してもよい。前記類似および一致は、例えば、前記顔情報と前記画像に存在する顔とに対して公知の類似度計算により得られる類似度に基づき判断することができる。顔照合手段３３は、特に制限されず、例えば、ＣＰＵ等があげられる。顔照合手段３３による照合方法は、特に制限されず、例えば、前記顔情報と前記画像に存在する顔との類似度計算による方法、目、鼻、口等の特徴点の距離の比や、前記特徴点を結んだ線の向き等の特徴量を用いる方法等、従来公知の顔認証方法を使用できる。
【００３３】
出力手段３４は、前記顔情報を含む画像を出力する。出力手段３４は、例えば、分類装置３を使用するユーザが使用する表示手段に、前記顔情報を含む画像を出力する。出力手段３４は、特に制限されず、例えば、ＣＰＵ等があげられる。出力手段３４により出力される前記顔情報を含む画像の数は、例えば、１つでもよいし、２つ以上でもよい。後者の場合、出力手段３４は、例えば、全てまたは一部の前記顔情報を含む画像を出力する。
【００３４】
本発明の分類装置は、例えば、さらに、前記画像から顔を検出する顔検出手段を含むことが好ましい。本発明の分類装置は、さらに、前記顔検出手段を含むことにより、前記画像に存在する顔を効率良く検出できるため、前記顔情報を含む画像をより効率良く抽出（分類）できる。
【００３５】
以上、実施形態を参照して本発明を説明したが、本発明は、上記実施形態に限定されるものではない。本発明の構成や詳細には、本発明のスコープ内で当業者が理解しうる様々な変更をできる。
【産業上の利用可能性】
【００３６】
本発明の照合装置によれば、例えば、好みの顔を有する他の参加者の情報を取得できる。このため、本発明の照合装置は、例えば、街コン等の人物交流等の分野において、極めて有用な技術といえる。
【符号の説明】
【００３７】
１                            照合装置
１１、２１、３１              顔情報取得手段
１２、２２                    照合用顔情報取得手段
１３                          関連情報取得手段
１４                          顔情報照合手段
１５、２４、３４              出力手段
２                            出力装置
２３                          類似度算出手段２３
３                            分類装置
３２                          画像取得手段
３３                          顔照合手段
【図１】
2017224041.tif 000003
【図２】
2017224041.tif 000004
【図３】
2017224041.tif 000005